(57)【要約】      （修正有）【課題】ネットワークを利用し、オンラインしている友人同士が画像撮影モジュールより相互に見守り助け合うことのできるセキュリティ警報メッセージインターネット放送システムを提案する。【解決手段】第一ネットワーク装置及び複数の第二ネットワーク装置を使い中央サーバを経て相互にオンラインし、第一ネットワーク装置に設置した第一警報モジュールが触発された場合、第二ネットワーク装置は第二画像表示モジュールによって第一ネットワーク装置に設置した第一画像撮影モジュールの撮影した映像を監視し、放送方式を使って警告を出すことにより、相手を脅かして行動を阻止し、相互に見守り助け合う。【選択図】図１
0003139543.tif 000002
【実用新案登録請求の範囲】
【請求項１】
セキュリティ警報メッセージインターネット放送システムは、
中央サーバと、
中央サーバとオンラインする第一ネットワーク装置と、
中央サーバと各々オンラインする複数の第二ネットワーク装置と、
第一ネットワーク装置に設置した第一画像撮影モジュールと、
第二ネットワーク装置に各々設置した複数の第二画像撮影モジュールと、
第一ネットワーク装置に設置した第一画像表示モジュールと、
第二ネットワーク装置に各々設置した複数の第二画像表示モジュールと、
第一ネットワーク装置に設置した第一警報モジュールと、
第二ネットワーク装置に各々設置した複数の第二警報モジュールとにより構成され、
第一ネットワーク装置及び第二ネットワーク装置は中央サーバを経て相互オンラインしており、第一警報モジュールが触発された場合、第二ネットワーク装置は第二画像表示モジュールを通して第一画像撮影モジュールの撮影した映像を監視できることを特徴とするセキュリティ警報メッセージインターネット放送システム。
【請求項２】
前記第一ネットワーク装置は、パソコン、携帯電話、携帯情報端末(PDA)であり、
前記第二ネットワーク装置もまた、パソコン、携帯電話、携帯情報端末(PDA)であることを特徴とする請求項１記載のセキュリティ警報メッセージインターネット放送システム。
【請求項３】
前記第一画像撮影モジュールは、ウェブカメラまたはデジタルビデオカメラであり、
前記第二画像撮影モジュールもまた、ウェブカメラまたはデジタルビデオカメラであることを特徴とする請求項１記載のセキュリティ警報メッセージインターネット放送システム。
【請求項４】
前記第一画像表示モジュールは、パソコンモニターまたは携帯電話モニターであり、
前記第二画像表示モジュールもまた、パソコンモニターまたは携帯電話モニターであることを特徴とする請求項１記載のセキュリティ警報メッセージインターネット放送システム。
【請求項５】
前記第一警報モジュールはセンサーであり、
前記第二警報モジュールもまたセンサーであることを特徴とする請求項１記載のセキュリティ警報メッセージインターネット放送システム。
【考案の詳細な説明】
【技術分野】
【０００１】
本考案は、セキュリティ警報メッセージインターネット放送システムに関するものであり、特にネットワークを利用し、オンラインしている友人が画像撮影モジュールより相互に見守り助け合うことのできるセキュリティ警報メッセージインターネット放送システムである。
【背景技術】
【０００２】
現在のセキュリティシステムにおける流れは、警報を発生する状況に遭遇した場合、中央監視機械警備が、セキュリティ人員に現場に赴き状況を把握するよう通知して、財産や身の安全を保護している。しかし、その欠点は、必要経費が高い点にある故、誰でも使用できるものではない。
【０００３】
現在、パーソナルネットワークのセキュリティシステムまたはウェブカメラは全て、メッセージ単一送信方式であり、使用者がオフラインまたは携帯電話をオフにしている場合、もう一方はメッセージを受信できず、また相手の状態を見ることもできない故、実用性に欠け広く使用することもできない。
【考案の開示】
【考案が解決しようとする課題】
【０００４】
よって、如何に、セキュリティ警報メッセージインターネット放送システムを作り出し、ある使用者に事件が発生した場合、該使用者の所在地にある画像撮影モジュールが映し出した状況に応じて、オンライン中の他の使用者達による手助けを可能にするものを作り出すかが、本考案の積極的に研究を進めている点である。
【課題を解決するための手段】
【０００５】
前述の公知技術の欠点に鑑み、考案人はまだ不完全であることを感じ、心を尽くして研究を続け欠点を克服しようとし、当該産業の経験を長年積み重ね、ついにセキュリティ警報メッセージインターネット放送システムの誕生に至った。それは、ある使用者に事件が発生した場合、該使用者の所在地にある画像撮影モジュールが映し出した状況に応じて、オンライン中の使用者達による手助けを可能にし、更に、相手を脅かして行動を阻止し、お互いに見守り助け合う目的を達成するものである。
【０００６】
本考案の主な目的は、次のセキュリティ警報メッセージインターネット放送システムを提供するものである。即ち、第一ネットワーク装置及び複数の第二ネットワーク装置の各々を、中央サーバによってオンラインさせ、該第一ネットワーク装置に設置した第一警報モジュールが触発された時、該第二ネットワーク装置は第二画像表示モジュールによって第一ネットワーク装置に設けた第一画像撮影モジュールの撮影した映像を監視し、並びに、放送方式で警告を出し、更に、相手を脅かして行動を阻止しお互いに見守って助け合う目的を達成する。
【０００７】
本考案が提供するセキュリティ警報メッセージインターネット放送システムは、中央サーバと、中央サーバとオンラインする第一ネットワーク装置と、中央サーバと各々オンラインする複数の第二ネットワーク装置と、第一ネットワーク装置に設置した第一画像撮影モジュールと、第二ネットワーク装置に各々設置した複数の第二画像撮影モジュールと、第一ネットワーク装置に設置した第一画像表示モジュールと、第二ネットワーク装置に各々設置した複数の第二画像表示モジュールと、第一ネットワーク装置に設置した第一警報モジュールと、第二ネットワーク装置に各々設置した複数の第二警報モジュールとにより構成され、第一ネットワーク装置及び第二ネットワーク装置は中央サーバを経て相互オンラインしており、第一警報モジュールが触発された場合、第二ネットワーク装置は第二画像表示モジュールを通して第一画像撮影モジュールの撮影した映像を監視できる。
【考案の効果】
【０００８】
以上のとおり、本考案は、第一ネットワーク装置及び複数の第二ネットワーク装置を使い中央サーバを経て相互にオンラインし、第一ネットワーク装置に設置した第一警報モジュールが触発された場合、第二ネットワーク装置は第二画像表示モジュールを通して第一ネットワーク装置に設置した第一画像撮影モジュールの撮影した映像を監視し、放送方式を使って警告を出すことにより、相手を脅かして行動を阻止し、相互に見守り助け合う目的を達成することを特徴とする。
【考案を実施するための最良の形態】
【０００９】
本考案の目的、特徴、効果を十分に理解して頂く為に、次のとおり、具体的な実施例に図面を添付し本考案に詳細説明を加える。
【００１０】
図１は、本考案の良好で具体的な実施例に関するシステム図である。図１を参照すると、このセキュリティ警報メッセージインターネット放送システム1は、中央サーバ2と、有線通信または無線通信方式で中央サーバ2とオンラインする第一ネットワーク装置3（例えば、パソコン、携帯電話、携帯情報端末(PDA)であるが、これに制限されない）と、有線通信または無線通信方式で中央サーバ2と各々オンラインする複数の第二ネットワーク装置8（例えば、パソコン、携帯電話、携帯情報端末(PDA)であるが、これに制限されない）と、第一ネットワーク装置3に設置した第一画像撮影モジュール5（例えば、ウェブカメラやデジタルビデオカメラであるが、これに制限されない）と、第二ネットワーク装置8に各々設置した第二画像撮影モジュール6（例えば、ウェブカメラやデジタルビデオカメラであるが、これに制限されない）と、第一ネットワーク装置3に設置した第一画像表示モジュール7（例えば、パソコンモニターまたは携帯電話モニターであるが、これに制限されない）と、第二ネットワーク装置8に各々設置した複数の第二画像表示モジュール4（例えば、パソコンモニターや携帯電話モニターであるが、これに制限されない）と、第一ネットワーク装置3に設置した第一警報モジュール9（例えば、センサーであるが、これに制限されない）と、第二ネットワーク装置8に各々設置した複数の第二警報モジュール10（例えば、センサーであるが、これに制限されない）とにより構成される。各使用者が第一ネットワーク装置3及び第二ネットワーク装置8を中央サーバ2に登録しオンラインした場合、まず先に、各使用者11の携帯電話、電話、Yahooメッセンジャー、Eメール、Skype等の連絡方式に関するもの全てをその中に記録しておくと、各使用者11は全て、第一ネットワーク装置3及び第二ネットワーク装置8から中央サーバ2を経て相互にオンラインし、前述連絡方式によって相互連絡を取ることが可能となる。
【００１１】
図２に、本考案の良好で具体的な実施例図を示す。図２に図１を組み合わせて参照すると、使用者11の所在地で意図不明者12に侵入され第一警報モジュール9を触発した場合、該第一警報モジュール9はメッセージを該中央サーバ2に送信し、該中央サーバ2は記録してある連絡対象及び方式に基づき、警報メッセージを送信し、その他使用者11が警報メッセージを受信した後、第二ネットワーク装置8を使って第二画像表示モジュール4より第一画像撮影モジュール5が撮影した映像を監視、並びに、放送（未図示）によって意図不明者士12に警告、意図不明者士12を脅かして行動を阻止する。
【００１２】
図３は、本考案のもう一つの良好で具体的な実施例図である。図３に図１を組み合わせて参照すると、使用者11は身体の具合が悪くなり第一警報モジュール9を触発した場合、該第一警報モジュール9は、メッセージを中央サーバ2に送信し、該中央サーバ2は記録済みの連絡対象及び方式に基づき警報メッセージを送信、その他使用者11は警報メッセージを受信後、第二ネットワーク装置8を使って第二画像表示モジュール4より第一画像撮影モジュール5の撮影した映像を監視し、並びに、救急車13を呼ぶことが可能である。
【００１３】
前述したとおり、本考案は、第一ネットワーク装置３及び複数の第二ネットワーク装置8を使い中央サーバ２を経由して互相にオンラインするものであり、該第一ネットワーク装置３の第一警報モジュール９が触発された場合、第二ネットワーク装置8から第二画像表示モジュール4により第一ネットワーク装置３に設置した第一画像撮影モジュール５の撮影した映像を監視し、並びに、放送方式によって警告を出すことにより、相手を脅かして行動を阻止したり相互に見守り助け合う目的を達成する。産業上の利用価値について言えば、本考案を利用した商品は、現市場の要望を十分満たすものであることがわかる。
【図面の簡単な説明】
【００１４】
【図１】本考案の良好で具体的な実施例のシステム図である。
【図２】本考案の良好で具体的な実施例図である。
【図３】本考案のもう一つの良好で具体的な実施例図である。
【符号の説明】
【００１５】
１    セキュリティ警報メッセージインターネット放送システム
２    中央サーバ
３    第一ネットワーク装置
４    第二画像表示モジュール
５    第一画像撮影モジュール
６    第二画像撮影モジュール
７    第一画像表示モジュール
８    第二ネットワーク装置
９    第一警報モジュール
１０  第二警報モジュール
１１  使用者
１２  意図不明者
１３  救急車
【図１】
0003139543.tif 000003
【図２】
0003139543.tif 000004
【図３】
0003139543.tif 000005